(57)【要約】  本願の実施例は、ランダムアクセス観点から通信性能を向上させることができる無線通信方法及びデバイスを提供する。当該方法は、ネットワークデバイスが、端末デバイスが第１の上りリンクキャリアにおいて送信した第１のランダムアクセス要求を受信することと、第１の上りリンクキャリアに基づいて、ネットワークデバイスが第１のランダムアクセス要求に対して第１のランダムアクセス応答を送信することとを含む。
2020537369.tif 000002
【特許請求の範囲】
【請求項１】
ネットワークデバイスが、端末デバイスが第１の上りリンクキャリアにおいて送信した第１のランダムアクセス要求を受信することと、
前記第１の上りリンクキャリアに基づいて、前記ネットワークデバイスが前記第１のランダムアクセス要求に対して第１のランダムアクセス応答を送信することとを含む
ことを特徴とする無線通信方法。
【請求項２】
前記第１の上りリンクキャリアに基づいて、前記ネットワークデバイスが前記第１のランダムアクセス要求に対して第１のランダムアクセス応答を送信することは、
前記第１の上りリンクキャリアに基づいて、前記ネットワークデバイスが、
前記第１のランダムアクセス応答の送信に要するリソース、前記第１のランダムアクセス応答の送信に要する第１のランダムアクセス無線ネットワーク一時識別子ＲＡ‐ＲＮＴＩ、及び前記第１のランダムアクセス応答においてランダムアクセス要求ソースを示す情報のうちの少なくとも１つを決定することと、
前記決定されたものに基づいて、前記第１のランダムアクセス応答を送信することとを含む
ことを特徴とする請求項１に記載の無線通信方法。
【請求項３】
前記第１のランダム応答メッセージの送信に要するリソースは、前記第１のランダムアクセス応答が搬送される  制御チャネルの所在の制御リソースセットＣＯＲＥＳＥＴ又はサーチスペースを含む
ことを特徴とする請求項２に記載の無線通信方法。
【請求項４】
前記第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、
前記第２のランダムアクセス応答が第２の上りリンクキャリアにおいて第２のランダムアクセス要求に対する応答である
ことを特徴とする請求項３に記載の無線通信方法。
【請求項５】
前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、
前記第２のＲＡ‐ＲＮＴＩが第２の上りリンクキャリアにおいて第２のランダムアクセス要求に対する第２のランダムアクセス応答に要するＲＡ‐ＲＮＴＩである
ことを特徴とする請求項２〜４のいずれか１項に記載の無線通信方法。
【請求項６】
前記第１のランダムアクセス応答のランダムアクセス要求ソースフィールドに含まれる情報が、第２のランダムアクセス応答のランダムアクセス要求ソースフィールドに含まれる情報と異なり、
前記第２のランダムアクセス応答が第２の上りリンクキャリアにおいて第２のランダムアクセス要求に対する応答であり、前記ランダムアクセス要求ソースフィールドがランダムアクセス要求の所在の上りリンクキャリアを示す
ことを特徴とする請求項２〜５のいずれか１項に記載の無線通信方法。
【請求項７】
前記第１のランダムアクセス応答にランダムアクセス要求ソースフィールドが含まれ、第２のランダムアクセス応答にランダムアクセス要求ソースフィールドが含まれなく、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項２〜５のいずれか１項に記載の無線通信方法。
【請求項８】
前記第１の上りリンクキャリアが前記第２の上りリンクキャリアの所在の周波数帯域と異なる
ことを特徴とする請求項２〜７のいずれか１項に記載の無線通信方法。
【請求項９】
前記方法は、さらに、
前記ネットワークデバイスが前記端末デバイスに構成情報を送信することを含み、
前記構成情報が、前記第１のランダム応答メッセージの送信に要するリソース、前記第１のランダム応答メッセージの送信に要する第１のランダムアクセス無線ネットワーク一時識別子の決定方式又は一部のパラメータ、及び前記第１のランダムアクセス応答に含まれる情報のうちの少なくとも１つを示す
ことを特徴とする請求項２〜８のいずれか１項に記載の無線通信方法。
【請求項１０】
ネットワークデバイスが複数の上りリンクキャリアの各上りリンクキャリアに対して、ランダムアクセスする時の構成情報をそれぞれ決定することと、
前記ネットワークデバイスが前記各上りリンクキャリアに対する前記構成情報を端末デバイスに送信することとを含む
ことを特徴とする無線通信方法。
【請求項１１】
前記構成情報が、前記各上りリンクキャリアにおいてランダムアクセス要求の送信に使用される時間領域リソース及び／又は周波数領域リソースを含み、
異なる上りリンクキャリアにおいてランダムアクセスの送信に使用される時間領域リソース及び／又は周波数領域リソースに対応するＲＡ‐ＲＮＴＩは、少なくも一部が異なる
ことを特徴とする請求項１０に記載の無線通信方法。
【請求項１２】
異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる
ことを特徴とする請求項１０又は１１に記載の無線通信方法。
【請求項１３】
前記ランダム応答メッセージの送信に要するリソースは、前記ランダムアクセス応答が搬送される制御チャネルの所在の制御リソースセットＣＯＲＥＳＥＴ又はサーチスペースを含む
ことを特徴とする請求項１２に記載の無線通信方法。
【請求項１４】
異なる上りリンクキャリアにおいてランダムアクセス要求に対応するランダムアクセス応答の制御チャネルの所在のＣＯＲＥＳＥＴ又はサーチスペースが、異なる
ことを特徴とする請求項１３に記載の無線通信方法。
【請求項１５】
異なる上りリンクキャリアにおいてランダムアクセス要求に対応するランダムアクセス応答のＲＡ‐ＲＮＴＩの計算式が異なり、又は、計算式の一部のパラメータが異なる
ことを特徴とする請求項１２〜１４のいずれか１項に記載の無線通信方法。
【請求項１６】
前記構成情報は、前記各上りリンクキャリアで伝送されるランダムアクセス要求に対応するランダムアクセス応答のランダムアクセス要求ソースの指示を含む
ことを特徴とする請求項１０〜１５のいずれか１項に記載の無線通信方法。
【請求項１７】
異なる上りリンクキャリアにおいてランダムアクセス要求に対応するランダムアクセス応答のランダムアクセス要求ソースフィールドに含まれる情報が異なり、前記ランダムアクセス要求ソースフィールドがランダムアクセス要求の所在の上りリンクキャリアを示す
ことを特徴とする請求項１６に記載の無線通信方法。
【請求項１８】
前記複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、前記第１のランダムアクセス応答が、第１の上りリンクキャリアにおいて第１のランダムアクセス要求に対する応答であり、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項１６に記載の無線通信方法。
【請求項１９】
前記複数の上りリンクキャリアの所在の周波数帯域がそれぞれ異なる
ことを特徴とする請求項１０〜１８のいずれか１項に記載の無線通信方法。
【請求項２０】
端末デバイスが第１の上りリンクキャリアにおいてネットワークデバイスに第１のランダムアクセス要求を送信することと、
前記第１の上りリンクキャリアに基づいて、前記端末デバイスが、前記ネットワークデバイスが前記第１のランダムアクセス要求に対して送信した第１のランダムアクセス応答を取得することとを含む
ことを特徴とする無線通信方法。
【請求項２１】
前記第１の上りリンクキャリアに基づいて、前記端末デバイスが、前記ネットワークデバイスが前記第１のランダムアクセス要求に対して送信した第１のランダムアクセス応答を取得することは、
前記第１の上りリンクキャリアに基づいて、前記端末デバイスが
前記第１のランダムアクセス応答が占用するリソース、前記第１のランダムアクセス応答の第１のランダムアクセス無線ネットワーク一時識別子ＲＡ‐ＲＮＴＩ、及び前記第１のランダムアクセス応答においてランダムアクセス要求ソースを示す情報のうちの少なくとも１つを決定することと、
前記決定されたものに基づいて、前記第１のランダムアクセス応答を取得することとを含む
ことを特徴とする請求項２０に記載の無線通信方法。
【請求項２２】
前記第１のランダム応答メッセージが占用するリソースは、前記第１のランダムアクセス応答が搬送される制御チャネルの所在のＣＯＲＥＳＥＴ又はサーチスペースを含む
ことを特徴とする請求項２１に記載の無線通信方法。
【請求項２３】
前記第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、前記第２のランダムアクセス応答が第２の上りリンクキャリアにおいて第２のランダムアクセス要求に対する応答である
ことを特徴とする請求項２２に記載の無線通信方法。
【請求項２４】
前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、前記第２のＲＡ‐ＲＮＴＩが第２の上りリンクキャリアにおいて第２のランダムアクセス要求に対する第２のランダムアクセス応答に要するＲＡ‐ＲＮＴＩである
ことを特徴とする請求項２１〜２３のいずれか１項に記載の無線通信方法。
【請求項２５】
前記第１のランダムアクセス応答のランダムアクセス要求ソースフィールドに含まれる情報が、第２のランダムアクセス応答のランダムアクセス要求ソースフィールドに含まれる情報と異なり、前記第２のランダムアクセス応答が第２の上りリンクキャリアにおいて第２のランダムアクセス要求に対する応答であり、前記ランダムアクセス要求ソースフィールドがランダムアクセス要求の所在の上りリンクキャリアを示す
ことを特徴とする請求項２１〜２４のいずれか１項に記載の無線通信方法。
【請求項２６】
前記第１のランダムアクセス応答にランダムアクセス要求ソースフィールドが含まれ、第２のランダムアクセス応答にランダムアクセス要求ソースフィールドが含まれなく、
前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項２１〜２４のいずれか１項に記載の無線通信方法。
【請求項２７】
前記第１の上りリンクキャリアが前記第２の上りリンクキャリアの所在の周波数帯域と異なる
ことを特徴とする請求項２１〜２６のいずれか１項に記載の無線通信方法。
【請求項２８】
前記方法は、さらに、
前記端末デバイスが前記ネットワークデバイスからの構成情報を受信することを含み、前記構成情報は、前記第１のランダムアクセス応答の送信が占用するリソース、前記第１のランダムアクセス応答の第１のランダムアクセス無線ネットワーク一時識別子ＲＡ‐ＲＮＴＩの決定方式又は一部のパラメータ、及び前記第１のランダムアクセス応答に含まれる情報のうちの少なくとも１つを示す
ことを特徴とする請求項２１〜２７のいずれか１項に記載の無線通信方法。
【請求項２９】
端末デバイスが、ネットワークデバイスが複数の上りリンクキャリアの各上りリンクキャリアに対してランダムアクセスする時の構成情報を受信することと、
前記構成情報に基づいて、前記複数の上りリンクキャリアの少なくとも一部の上りリンクキャリアにおいてランダムアクセスすることとを含む
ことを特徴とする無線通信方法。
【請求項３０】
前記構成情報は、前記複数の上りリンクキャリアの各上りリンクキャリアにおいてランダムアクセス要求の送信に使用される時間領域リソース及び／又は周波数領域リソースを含み、
異なる上りリンクキャリアにおいてランダムアクセスの送信に使用される時間領域リソース及び／又は周波数領域リソースに対応するＲＡ‐ＲＮＴＩは、少なくも一部が異なる
ことを特徴とする請求項２９に記載の無線通信方法。
【請求項３１】
異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる
ことを特徴とする請求項２９又は３０に記載の無線通信方法。
【請求項３２】
前記ランダム応答メッセージの送信に要するリソースは、前記ランダムアクセス応答が搬送される制御チャネルの所在のＣＯＲＥＳＥＴ又はサーチスペースを含む
ことを特徴とする請求項３１に記載の無線通信方法。
【請求項３３】
異なる上りリンクキャリアにおいてランダムアクセス要求に対応するランダムアクセス応答の制御チャネルの所在の制御リソースセットＣＯＲＥＳＥＴ又はサーチスペースが、異なる
ことを特徴とする請求項３２に記載の無線通信方法。
【請求項３４】
異なる上りリンクキャリアにおいてランダムアクセス要求に対応するランダムアクセス応答のＲＡ‐ＲＮＴＩの計算式が異なり、又は、計算式の一部のパラメータが異なる
ことを特徴とする請求項３１〜３３のいずれか１項に記載の無線通信方法。
【請求項３５】
前記構成情報は、前記各上りリンクキャリアで伝送されるランダムアクセス要求に対応するランダムアクセス応答のランダムアクセス要求ソースの指示を含む
ことを特徴とする請求項２９〜３４のいずれか１項に記載の無線通信方法。
【請求項３６】
異なる上りリンクキャリアにおいてランダムアクセス要求に対応するランダムアクセス応答のランダムアクセス要求ソースフィールドに含まれる情報が異なり、前記ランダムアクセス要求ソースフィールドがランダムアクセス要求の所在の上りリンクキャリアを示す
ことを特徴とする請求項３５に記載の無線通信方法。
【請求項３７】
前記複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、前記第１のランダムアクセス応答が、第１の上りリンクキャリアにおいて第１のランダムアクセス要求に対する応答であり、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項３５に記載の無線通信方法。
【請求項３８】
前記複数の上りリンクキャリアの所在の周波数帯域がそれぞれ異なる
ことを特徴とする請求項２９〜３７のいずれか１項に記載の無線通信方法。
【請求項３９】
受信ユニットと、送信ユニットと、を備えるネットワークデバイスであって、
前記受信ユニットは、端末デバイスが第１の上りリンクキャリアにおいて送信した第１のランダムアクセス要求を受信するように構成され、
前記送信ユニットは、前記第１の上りリンクキャリアに基づいて、前記第１のランダムアクセス要求に対して第１のランダムアクセス応答を送信するように構成される
ことを特徴とするネットワークデバイス。
【請求項４０】
前記送信ユニットは、さらに、
前記第１の上りリンクキャリアに基づいて、
前記第１のランダムアクセス応答の送信に要するリソース、前記第１のランダムアクセス応答の送信に要する第１のランダムアクセス無線ネットワーク一時識別子ＲＡ‐ＲＮＴＩ、及び前記第１のランダムアクセス応答においてランダムアクセス要求ソースを示す情報のうちの少なくとも１つを決定し、
前記決定されたものに基づいて、前記第１のランダムアクセス応答を送信するように構成される
ことを特徴とする請求項３９に記載のネットワークデバイス。
【請求項４１】
前記第１のランダム応答メッセージの送信に要するリソースは、前記第１のランダムアクセス応答が搬送される制御チャネルの所在の制御リソースセットＣＯＲＥＳＥＴ又はサーチスペースを含む
ことを特徴とする請求項４０に記載のネットワークデバイス。
【請求項４２】
前記第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、前記第２のランダムアクセス応答が第２の上りリンクキャリアにおいて第２のランダムアクセス要求に対する応答である
ことを特徴とする請求項４１に記載のネットワークデバイス。
【請求項４３】
前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、前記第２のＲＡ‐ＲＮＴＩが第２の上りリンクキャリアにおいて第２のランダムアクセス要求に対する第２のランダムアクセス応答に要するＲＡ‐ＲＮＴＩである
ことを特徴とする請求項４０〜４２のいずれか１項に記載のネットワークデバイス。
【請求項４４】
前記第１のランダムアクセス応答のランダムアクセス要求ソースフィールドに含まれる情報が、第２のランダムアクセス応答のランダムアクセス要求ソースフィールドに含まれる情報と異なり、前記第２のランダムアクセス応答が第２の上りリンクキャリアにおいて第２のランダムアクセス要求に対する応答であり、前記ランダムアクセス要求ソースフィールドがランダムアクセス要求の所在の上りリンクキャリアを示す
ことを特徴とする請求項４０〜４３のいずれか１項に記載のネットワークデバイス。
【請求項４５】
前記第１のランダムアクセス応答にランダムアクセス要求ソースフィールドが含まれ、第２のランダムアクセス応答にランダムアクセス要求ソースフィールドが含まれなく、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項４０〜４３のいずれか１項に記載のネットワークデバイス。
【請求項４６】
前記第１の上りリンクキャリアが前記第２の上りリンクキャリアの所在の周波数帯域と異なる
ことを特徴とする請求項４０〜４５のいずれか１項に記載のネットワークデバイス。
【請求項４７】
前記送信ユニットは、さらに、前記端末デバイスに構成情報を送信するように構成され、
前記構成情報が、前記第１のランダム応答メッセージの送信に要するリソース、前記第１のランダム応答メッセージの送信に要する第１のランダムアクセス無線ネットワーク一時識別子の決定方式又は一部のパラメータ、及び前記第１のランダムアクセス応答に含まれる情報のうちの少なくとも１つを示す
ことを特徴とする請求項４０〜４６のいずれか１項に記載のネットワークデバイス。
【請求項４８】
処理ユニットと、通信ユニットと、を備えるネットワークデバイスであって、
前記処理ユニットは、複数の上りリンクキャリアの各上りリンクキャリアに対してランダムアクセスする時の構成情報をそれぞれ決定するように構成され、
前記通信ユニットは、前記各上りリンクキャリアに対する前記構成情報を端末デバイスに送信するように構成される
ことを特徴とするネットワークデバイス。
【請求項４９】
前記構成情報が、前記各上りリンクキャリアにおいてランダムアクセス要求の送信に使用される時間領域リソース及び／又は周波数領域リソースを含み、
異なる上りリンクキャリアにおいてランダムアクセスの送信に使用される時間領域リソース及び／又は周波数領域リソースに対応するＲＡ‐ＲＮＴＩは、少なくも一部が異なる
ことを特徴とする請求項４８に記載のネットワークデバイス。
【請求項５０】
異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる
ことを特徴とする請求項４８又は４９に記載のネットワークデバイス。
【請求項５１】
前記ランダム応答メッセージの送信に要するリソースは、前記ランダムアクセス応答が搬送される制御チャネルの所在の制御リソースセットＣＯＲＥＳＥＴ又はサーチスペースを含む
ことを特徴とする請求項５０に記載のネットワークデバイス。
【請求項５２】
異なる上りリンクキャリアにおいてランダムアクセス要求に対応するランダムアクセス応答の制御チャネルの所在のＣＯＲＥＳＥＴ又はサーチスペースが、異なる
ことを特徴とする請求項５１に記載のネットワークデバイス。
【請求項５３】
異なる上りリンクキャリアにおいてランダムアクセス要求に対応するランダムアクセス応答のＲＡ‐ＲＮＴＩの計算式が異なり、又は、計算式の一部のパラメータが異なる
ことを特徴とする請求項５０〜５２のいずれか１項に記載のネットワークデバイス。
【請求項５４】
前記構成情報は、前記各上りリンクキャリアで伝送されるランダムアクセス要求に対応するランダムアクセス応答のランダムアクセス要求ソースの指示を含む
ことを特徴とする請求項４８〜５３のいずれか１項に記載のネットワークデバイス。
【請求項５５】
異なる上りリンクキャリアにおいてランダムアクセス要求に対応するランダムアクセス応答のランダムアクセス要求ソースフィールドに含まれる情報が異なり、前記ランダムアクセス要求ソースフィールドがランダムアクセス要求の所在の上りリンクキャリアを示す
ことを特徴とする請求項５４に記載のネットワークデバイス。
【請求項５６】
前記複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、前記第１のランダムアクセス応答が、第１の上りリンクキャリアにおいて第１のランダムアクセス要求に対する応答であり、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項５４に記載のネットワークデバイス。
【請求項５７】
前記複数の上りリンクキャリアの所在の周波数帯域がそれぞれ異なる
ことを特徴とする請求項４８〜５６のいずれか１項に記載のネットワークデバイス。
【請求項５８】
送信ユニットと、受信ユニットと、を備える端末デバイスであって、
前記送信ユニットは、第１の上りリンクキャリアにおいてネットワークデバイスに第１のランダムアクセス要求を送信するように構成され、
前記受信ユニットは、前記第１の上りリンクキャリアに基づいて、前記ネットワークデバイスが前記第１のランダムアクセス要求に対して送信した第１のランダムアクセス応答を取得するように構成される
ことを特徴とする端末デバイス。
【請求項５９】
前記受信ユニットは、さらに、
前記第１の上りリンクキャリアに基づいて、
前記第１のランダムアクセス応答が占用するリソース、前記第１のランダムアクセス応答の第１のランダムアクセス無線ネットワーク一時識別子ＲＡ‐ＲＮＴＩ、及び前記第１のランダムアクセス応答においてランダムアクセス要求ソースを示す情報のうちの少なくとも１つを決定し、
前記決定されたものに基づいて、前記第１のランダムアクセス応答を取得するように構成される
ことを特徴とする請求項５８に記載の端末デバイス。
【請求項６０】
前記第１のランダム応答メッセージが占用するリソースは、前記第１のランダムアクセス応答が搬送される制御チャネルの所在のＣＯＲＥＳＥＴ又はサーチスペースを含む
ことを特徴とする請求項５９に記載の端末デバイス。
【請求項６１】
前記第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、前記第２のランダムアクセス応答が第２の上りリンクキャリアにおいて第２のランダムアクセス要求に対する応答である
ことを特徴とする請求項６０に記載の端末デバイス。
【請求項６２】
前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、前記第２のＲＡ‐ＲＮＴＩが第２の上りリンクキャリアにおいて第２のランダムアクセス要求に対する第２のランダムアクセス応答に要するＲＡ‐ＲＮＴＩである
ことを特徴とする請求項５９〜６１のいずれか１項に記載の端末デバイス。
【請求項６３】
前記第１のランダムアクセス応答のランダムアクセス要求ソースフィールドに含まれる情報が、第２のランダムアクセス応答のランダムアクセス要求ソースフィールドに含まれる情報と異なり、前記第２のランダムアクセス応答が第２の上りリンクキャリアにおいて第２のランダムアクセス要求に対する応答であり、前記ランダムアクセス要求ソースフィールドがランダムアクセス要求の所在の上りリンクキャリアを示す
ことを特徴とする請求項５９〜６２のいずれか１項に記載の端末デバイス。
【請求項６４】
前記第１のランダムアクセス応答にランダムアクセス要求ソースフィールドが含まれ、第２のランダムアクセス応答にランダムアクセス要求ソースフィールドが含まれなく、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項５９〜６２のいずれか１項に記載の端末デバイス。
【請求項６５】
前記第１の上りリンクキャリアが前記第２の上りリンクキャリアの所在の周波数帯域と異なる
ことを特徴とする請求項５９〜６４のいずれか１項に記載の端末デバイス。
【請求項６６】
前記端末デバイスは、さらに、
前記端末デバイスが前記ネットワークデバイスからの構成情報を受信することを含み、前記構成情報は、前記第１のランダムアクセス応答の送信に占用するリソース、前記第１のランダムアクセス応答の第１のランダムアクセス無線ネットワーク一時識別子ＲＡ‐ＲＮＴＩの決定方式又は一部のパラメータ、及び前記第１のランダムアクセス応答に含まれる情報のうちの少なくとも１つを示す
ことを特徴とする請求項５９〜６５のいずれか１項に記載の端末デバイス。
【請求項６７】
受信ユニットと、アクセスユニットと、を備える端末デバイスであって、
前記受信ユニットは、ネットワークデバイスが複数の上りリンクキャリアの各上りリンクキャリアに対してランダムアクセスする時の構成情報を受信するように構成され、
前記アクセスユニットは、前記構成情報に基づいて、前記複数の上りリンクキャリアの少なくとも一部の上りリンクキャリアにおいてランダムアクセスするように構成される
ことを特徴とする端末デバイス。
【請求項６８】
前記構成情報は、前記複数の上りリンクキャリアの各上りリンクキャリアにおいてランダムアクセス要求の送信に使用される時間領域リソース及び／又は周波数領域リソースを含み、
異なる上りリンクキャリアにおいてランダムアクセスの送信に使用される時間領域リソース及び／又は周波数領域リソースに対応するＲＡ‐ＲＮＴＩは、少なくも一部が異なる
ことを特徴とする請求項６７に記載の端末デバイス。
【請求項６９】
異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる
ことを特徴とする請求項６７又は６８に記載の端末デバイス。
【請求項７０】
前記ランダム応答メッセージの送信に要するリソースは、前記ランダムアクセス応答が搬送される制御チャネルの所在のＣＯＲＥＳＥＴ又はサーチスペースを含む
ことを特徴とする請求項６９に記載の端末デバイス。
【請求項７１】
異なる上りリンクキャリアにおいてランダムアクセス要求に対応するランダムアクセス応答の制御チャネルの所在の制御リソースセットＣＯＲＥＳＥＴ又はサーチスペースが、異なる
ことを特徴とする請求項７０に記載の端末デバイス。
【請求項７２】
異なる上りリンクキャリアにおいてランダムアクセス要求に対応するランダムアクセス応答のＲＡ‐ＲＮＴＩの計算式が異なり、又は、計算式の一部のパラメータが異なる
ことを特徴とする請求項６９〜７１のいずれか１項に記載の端末デバイス。
【請求項７３】
前記構成情報は、前記各上りリンクキャリアで伝送されるランダムアクセス要求に対応するランダムアクセス応答のランダムアクセス要求ソースの指示を含む
ことを特徴とする請求項６７〜７２のいずれか１項に記載の端末デバイス。
【請求項７４】
異なる上りリンクキャリアにおいてランダムアクセス要求に対応するランダムアクセス応答のランダムアクセス要求ソースフィールドに含まれる情報が異なり、前記ランダムアクセス要求ソースフィールドがランダムアクセス要求の所在の上りリンクキャリアを示す
ことを特徴とする請求項７３に記載の端末デバイス。
【請求項７５】
前記複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、前記第１のランダムアクセス応答が、第１の上りリンクキャリアにおいて第１のランダムアクセス要求に対する応答であり、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項７３に記載の端末デバイス。
【請求項７６】
前記複数の上りリンクキャリアの所在の周波数帯域がそれぞれ異なる
ことを特徴とする請求項６７〜７５のいずれか１項に記載の端末デバイス。
【発明の詳細な説明】
【技術分野】
【０００１】
本願は、通信分野に関し、具体的に、無線通信方法、ネットワークデバイス及び端末デバイスに関する。
【背景技術】
【０００２】
ロングタームエボリューション( Ｌｏｎｇ  Ｔｅｒｍ  Ｅｖｏｌｕｔｉｏｎ、ＬＴＥ )システムでは、固定された上りリンクキャリアと固定された下りリンクキャリア(上りリンクキャリアおよび下りリンクキャリアは、周波数領域において少なくとも部分的に重複することがある)とを有し、端末デバイスとネットワークとの間で、固定された上りリンクキャリアおよび下りリンクキャリアを用いてそれぞれ上り下り通信を行うことができ、端末は、固定された上りリンクキャリアを用いてランダムアクセスを行うことができる。
【０００３】
未来の通信システムでは、通信性能に対する要求が高い。
【０００４】
したがって、ランダムアクセスの観点から、いかに通信性能を向上させるかが、解決すべき課題である。
【発明の概要】
【０００５】
本願の実施例は、ランダムアクセスの観点から通信性能を向上させることができる無線通信方法及びデバイスを提供する。
【０００６】
第１の態様は、無線通信方法を提供し、
ネットワークデバイスが、端末デバイスが第１の上りリンクキャリアにおいて送信した第１のランダムアクセス要求を受信することと、
第１の上りリンクキャリアに基づいて、ネットワークデバイスが第１のランダムアクセス要求に対して第１のランダムアクセス応答を送信することとを含む。
【０００７】
したがって、本願の実施例では、ランダムアクセス要求を送信する上りリンクキャリアに基づいてランダムアクセス応答をフィードバックすることにより、複数の上りリンクキャリアが存在する場合に、ランダムアクセス応答がランダムアクセス要求に対するソースをできるだけ区別することができる。
【０００８】
第１の態様と結合し、第１の態様の実現可能な方式において、第１の上りリンクキャリアに基づいて、ネットワークデバイスが第１のランダムアクセス要求に対して第１のランダムアクセス応答を送信することは、
第１の上りリンクキャリアに基づいて、ネットワークデバイスが、
第１のランダムアクセス応答の送信に要するリソース、第１のランダムアクセス応答の送信に要する第１のランダムアクセス無線ネットワーク一時識別子ＲＡ‐ＲＮＴＩ、及び第１のランダムアクセス応答においてランダムアクセス要求ソースを示す情報のうちの少なくとも１つを決定することと、
決定されたものに基づいて、第１のランダムアクセス応答を送信することとを含む。
【０００９】
第１の態様又は上記の実現可能な方式と結合し、第１の態様の他の実現可能な方式において、第１のランダム応答メッセージの送信に要するリソースは、第１のランダムアクセス応答が搬送される制御チャネルの所在の制御リソースセットＣＯＲＥＳＥＴ又はサーチスペースを含む。
【００１０】
第１の態様又は上記の実現可能な方式と結合し、第１の態様の他の実現可能な方式において、第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、第２のランダムアクセス応答が第２の上りリンクキャリアにおいて第２のランダムアクセス要求に対する応答である。
【００１１】
第１の態様又は上記の実現可能な方式と結合し、第１の態様の他の実現可能な方式において、第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、第２のＲＡ‐ＲＮＴＩが第２の上りリンクキャリアにおいて第２のランダムアクセス要求に対する第２のランダムアクセス応答に要するＲＡ‐ＲＮＴＩである。
【００１２】
第１の態様又は上記の実現可能な方式と結合し、第１の態様の他の実現可能な方式において、第１のランダムアクセス応答のランダムアクセス要求ソースフィールドが含まれる情報が、第２のランダムアクセス応答のランダムアクセス要求ソースフィールドに含まれる情報と異なり、第２のランダムアクセス応答が第２の上りリンクキャリアにおいて第２のランダムアクセス要求に対する応答であり、ランダムアクセス要求ソースフィールドがランダムアクセス要求の所在の上りリンクキャリアを示す。
【００１３】
第１の態様又は上記の実現可能な方式と結合し、第１の態様の他の実現可能な方式において、第１のランダムアクセス応答にランダムアクセス要求ソースフィールドが含まれ、第２のランダムアクセス応答にランダムアクセス要求ソースフィールドが含まれなく、第２のランダムアクセス応答が第２の上りリンクキャリアにおいて第２のランダムアクセス要求に対する応答であり、ランダムアクセス要求ソースフィールドが、ランダムアクセス要求の所在の上りリンクキャリアが第１の上りリンクキャリアであることを示す。
【００１４】
第１の態様又は上記の実現可能な方式と結合し、第１の態様の他の実現可能な方式において、第１の上りリンクキャリアが第２の上りリンクキャリアの所在の周波数帯域と異なる。
【００１５】
第１の態様又は上記の実現可能な方式と結合し、第１の態様の他の実現可能な方式において、方法は、さらに、
ネットワークデバイスが端末デバイスに構成情報を送信することを含み、構成情報が、第１のランダム応答メッセージの送信に要するリソース、第１のランダム応答メッセージの送信に要する第１のランダムアクセス無線ネットワーク一時識別子の決定方式又は一部のパラメータ、及び第１のランダムアクセス応答に含まれる情報のうちの少なくとも１つを示す。
【００１６】
第２の態様は、無線通信方法を提供し、
ネットワークデバイスが複数の上りリンクキャリアの各上りリンクキャリアに対して、ランダムアクセスする時の構成情報をそれぞれ決定することと、
ネットワークデバイスが各上りリンクキャリアに対する構成情報を端末デバイスに送信することとを含む。
【００１７】
したがって、ネットワークデバイスは、複数の上りリンクキャリアのそれぞれに対してランダムアクセスを行う際の構成情報を端末デバイスに対して個別に構成することにより、端末デバイスは、ランダムアクセス時に、それぞれの上りリンクキャリアに対応する構成情報を用いてランダムアクセスを行うことができる。
【００１８】
第２の態様と結合し、第２の態様の実現可能な方式において、構成情報が、各上りリンクキャリアにおいてランダムアクセス要求の送信に使用される時間領域リソース及び／又は周波数領域リソースを含み、
異なる上りリンクキャリアにおいてランダムアクセスの送信に使用される時間領域リソース及び／又は周波数領域リソースに対応するＲＡ‐ＲＮＴＩは、少なくも一部が異なる。
【００１９】
第２の態様又は上記の実現可能な方式と結合し、第２の態様の他の実現可能な方式において、異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる。 
第２の態様又は上記の実現可能な方式と結合し、第２の態様の他の実現可能な方式において、ランダム応答メッセージの送信に要するリソースは、ランダムアクセス応答が搬送される制御チャネルの所在の制御リソースセットＣＯＲＥＳＥＴ又はサーチスペースを含む。
【００２０】
第２の態様又は上記の実現可能な方式と結合し、第２の態様の他の実現可能な方式において、異なる上りリンクキャリアにおいてランダムアクセス要求に対応するランダムアクセス応答の制御チャネルの所在のＣＯＲＥＳＥＴ又はサーチスペースが、異なる。
【００２１】
第２の態様又は上記の実現可能な方式と結合し、第２の態様の他の実現可能な方式において、異なる上りリンクキャリアにおいてランダムアクセス要求に対応するランダムアクセス応答のＲＡ‐ＲＮＴＩの計算式が異なり、又は、計算式の一部のパラメータが異なる。
【００２２】
第２の態様又は上記の実現可能な方式と結合し、第２の態様の他の実現可能な方式において、構成情報は、各上りリンクキャリアで伝送されるランダムアクセス要求に対応するランダムアクセス応答のランダムアクセス要求ソースの指示を含む。
【００２３】
第２の態様又は上記の実現可能な方式と結合し、第２の態様の他の実現可能な方式において、異なる上りリンクキャリアにおいてランダムアクセス要求に対応するランダムアクセス応答のランダムアクセス要求ソースフィールドに含まれる情報が異なり、ランダムアクセス要求ソースフィールドがランダムアクセス要求の所在の上りリンクキャリアを示す。
【００２４】
第２の態様又は上記の実現可能な方式と結合し、第２の態様の他の実現可能な方式において、複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、第１のランダムアクセス応答が、第１の上りリンクキャリアにおいて第１のランダムアクセス要求に対する応答であり、第２のランダムアクセス応答が第２の上りリンクキャリアにおいて第２のランダムアクセス要求に対する応答であり、ランダムアクセス要求ソースフィールドが、ランダムアクセス要求の所在の上りリンクキャリアが第１の上りリンクキャリアであることを示す。
【００２５】
第２の態様又は上記の実現可能な方式と結合し、第２の態様の他の実現可能な方式において、複数の上りリンクキャリアの所在の周波数帯域がそれぞれ異なる。
【００２６】
第３の態様は、無線通信方法を提供し、
端末デバイスが第１の上りリンクキャリアにおいてネットワークデバイスに第１のランダムアクセス要求を送信することと、
第１の上りリンクキャリアに基づいて、端末デバイスが、ネットワークデバイスが第１のランダムアクセス要求に対して送信した第１のランダムアクセス応答を取得することとを含む。
【００２７】
第３の態様と結合し、第２の態様の実現可能な方式において、第１の上りリンクキャリアに基づいて、端末デバイスが、ネットワークデバイスが第１のランダムアクセス要求に対して送信した第１のランダムアクセス応答を取得することは、
第１の上りリンクキャリアに基づいて、端末デバイスが、
第１のランダムアクセス応答が占用するリソース、第１のランダムアクセス応答の第１のランダムアクセス無線ネットワーク一時識別子ＲＡ‐ＲＮＴＩ、及び第１のランダムアクセス応答においてランダムアクセス要求ソースを示す情報のうちの少なくとも１つを決定することと、
決定されたものに基づいて、第１のランダムアクセス応答を取得することとを含む。
【００２８】
第３の態様又は上記の実現可能な方式と結合し、第３の態様の他の実現可能な方式において、第１のランダム応答メッセージが占用するリソースは、第１のランダムアクセス応答が搬送される制御チャネルの所在のＣＯＲＥＳＥＴ又はサーチスペースを含む。
【００２９】
第３の態様又は上記の実現可能な方式と結合し、第３の態様の他の実現可能な方式において、第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、第２のランダムアクセス応答が第２の上りリンクキャリアにおいて第２のランダムアクセス要求に対する応答である。
【００３０】
第３の態様又は上記の実現可能な方式と結合し、第３の態様の他の実現可能な方式において、第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、第２のＲＡ‐ＲＮＴＩが第２の上りリンクキャリアにおいて第２のランダムアクセス要求に対する第２のランダムアクセス応答に要するＲＡ‐ＲＮＴＩである。
【００３１】
第３の態様又は上記の実現可能な方式と結合し、第３の態様の他の実現可能な方式において、第１のランダムアクセス応答のランダムアクセス要求ソースフィールドに含まれる情報が、第２のランダムアクセス応答のランダムアクセス要求ソースフィールドに含まれる情報と異なり、第２のランダムアクセス応答が第２の上りリンクキャリアにおいて第２のランダムアクセス要求に対する応答であり、ランダムアクセス要求ソースフィールドがランダムアクセス要求の所在の上りリンクキャリアを示す。
【００３２】
第３の態様又は上記の実現可能な方式と結合し、第３の態様の他の実現可能な方式において第１のランダムアクセス応答にランダムアクセス要求ソースフィールドが含まれ、第２のランダムアクセス応答にランダムアクセス要求ソースフィールドが含まれなく、第２のランダムアクセス応答が第２の上りリンクキャリアにおいて第２のランダムアクセス要求に対する応答であり、ランダムアクセス要求ソースフィールドがランダムアクセス要求の所在の上りリンクキャリアを示す。
【００３３】
第３の態様又は上記の実現可能な方式と結合し、第３の態様の他の実現可能な方式において、第１の上りリンクキャリアが第２の上りリンクキャリアの所在の周波数帯域と異なる。
【００３４】
第３の態様又は上記の実現可能な方式と結合し、第３の態様の他の実現可能な方式において、方法は、さらに、
端末デバイスがネットワークデバイスからの構成情報を受信することを含み、構成情報は、第１のランダムアクセス応答の送信に占用するリソース、第１のランダムアクセス応答の第１のランダムアクセス無線ネットワーク一時識別子ＲＡ‐ＲＮＴＩの決定方式又は一部のパラメータ、及び第１のランダムアクセス応答に含まれる情報のうちの少なくとも１つを示す。
【００３５】
第４の態様は、無線通信方法を提供し、
端末デバイスが、ネットワークデバイスが複数の上りリンクキャリアの各上りリンクキャリアに対してランダムアクセスする時の構成情報を受信することと、
構成情報に基づいて、複数の上りリンクキャリアの少なくとも一部の上りリンクキャリアにおいてランダムアクセスすることとを含む。
【００３６】
第４の態様と結合し、第４の態様の実現可能な方式において、構成情報は、複数の上りリンクキャリアの各上りリンクキャリアにおいてランダムアクセス要求の送信に使用される時間領域リソース及び／又は周波数領域リソースを含み、
異なる上りリンクキャリアにおいてランダムアクセスの送信に使用される時間領域リソース及び／又は周波数領域リソースに対応するＲＡ‐ＲＮＴＩは、少なくも一部が異なる。
【００３７】
第４の態様と結合し、第４の態様の他の実現可能な方式において、異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる。 
第４の態様又は上記の実現可能な方式と結合し、第４の態様の他の実現可能な方式において、ランダム応答メッセージの送信に要するリソースは、ランダムアクセス応答が搬送される制御チャネルの所在のＣＯＲＥＳＥＴ又はサーチスペースを含む。
【００３８】
第４の態様又は上記の実現可能な方式と結合し、第４の態様の他の実現可能な方式において、異なる上りリンクキャリアにおいてランダムアクセス要求に対応するランダムアクセス応答の制御チャネルの所在の制御リソースセットＣＯＲＥＳＥＴ又はサーチスペースが、異なる。
【００３９】
第４の態様又は上記の実現可能な方式と結合し、第４の態様の他の実現可能な方式において、異なる上りリンクキャリアにおいてランダムアクセス要求に対応するランダムアクセス応答のＲＡ‐ＲＮＴＩの計算式が異なり、又は、計算式の一部のパラメータが異なる。
【００４０】
第４の態様又は上記の実現可能な方式と結合し、第４の態様の他の実現可能な方式において、構成情報は、各上りリンクキャリアで伝送されるランダムアクセス要求に対応するランダムアクセス応答のランダムアクセス要求ソースの指示を含む。
【００４１】
第４の態様又は上記の実現可能な方式と結合し、第４の態様の他の実現可能な方式において、異なる上りリンクキャリアにおいてランダムアクセス要求に対応するランダムアクセス応答のランダムアクセス要求ソースフィールドに含まれる情報が異なり、ランダムアクセス要求ソースフィールドがランダムアクセス要求の所在の上りリンクキャリアを示す。
【００４２】
第４の態様又は上記の実現可能な方式と結合し、第４の態様の他の実現可能な方式において、複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、第１のランダムアクセス応答が、第１の上りリンクキャリアにおいて第１のランダムアクセス要求に対する応答であり、第２のランダムアクセス応答が第２の上りリンクキャリアにおいて第２のランダムアクセス要求に対する応答であり、ランダムアクセス要求ソースフィールドが、ランダムアクセス要求の所在の上りリンクキャリアが第１の上りリンクキャリアであることを示す。
【００４３】
第４の態様又は上記の実現可能な方式と結合し、第４の態様の他の実現可能な方式において、複数の上りリンクキャリアの所在の周波数帯域がそれぞれ異なる。
【００４４】
第５の態様は、上述の第１の態様もしくは第１の態様の任意の可能な実装、または第２の態様もしくは第２の態様の任意の可能な実装における方法を実行するためのネットワークデバイスを提供する。具体的には、ネットワークデバイスは、上記の第１の態様または第１の態様の任意の可能な実装、あるいは第２の態様または第２の態様の任意の可能な実装における方法を実行するための機能モジュールを含む。
【００４５】
第６の態様は、上記の第３の態様もしくは第３の態様の任意の可能な実装、または第４の態様もしくは第４の態様の任意の可能な実装における方法を実行するための端末デバイスを提供する。具体的には、端末デバイスは、上記の第２の態様または第２の態様の任意の可能な実装、または第４の態様の任意の可能な実装における方法を実行するための機能モジュールを含む。
【００４６】
第７の態様は、プロセッサと、メモリと、送受信機とを含むネットワークデバイスを提供する。プロセッサ、メモリ、および送受信機は、内部接続経路を介して互いに通信し、制御信号および/またはデータ信号を通信し、ネットワークデバイスに、第１の態様または第１の態様の任意の可能な実装、または第３の態様の任意の可能な実装における方法を実行させる。 
第８の態様は、プロセッサと、メモリと、送受信機とを含む端末デバイスを提供する。プロセッサ、メモリ、および送受信機は、内部接続経路を介して互いに通信し、制御信号および/またはデータ信号を通信し、ネットワークデバイスに、第２の態様または第２の態様の任意の可能な実装、または第４の態様の任意の可能な実装における方法を実行させる。
【００４７】
第９の態様は、上述の方法のいずれかまたは可能な実装のいずれかを実行するための命令を含むコンピュータプログラムを記憶するためのコンピュータ可読媒体を提供する。
【００４８】
第１０の態様は、命令を含むコンピュータプログラム製品を提供し、コンピュータプログラム製品は、コンピュータ上で実行されると、コンピュータに、上述の方法のいずれかまたは可能な実装のいずれかを実行させる。
【図面の簡単な説明】
【００４９】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例におけるリソースでのリンクキャリアの分割態様の模式図である。
【図３】本願の実施例におけるリソースでのリンクキャリアの分割態様の模式図である。
【図４】本願の実施例におけるリソースでのリンクキャリアの分割態様の模式図である。
【図５】本願の実施例におけるリソースでのリンクキャリアの分割態様の模式図である。
【図６】本願の実施例における無線通信方法のフローチャートである。
【図７】本願の実施例における無線通信方法のフローチャートである。
【図８】本願の実施例におけるネットワークデバイスのブロック図である。
【図９】本願の実施例におけるネットワークデバイスのブロック図である。
【図１０】本願の実施例における端末デバイスのブロック図である。
【図１１】本願の実施例における端末デバイスのブロック図である。
【図１２】本願の実施例におけるシステムチップのブロック図である。
【図１３】本願の実施例における通信デバイスのブロック図である。
【発明を実施するための形態】
【００５０】
以下、本発明の実施例について図面を参照して説明するが、本発明は、この実施例に限定されるものではなく、本発明の技術的思想に基づく各種の変形が可能である。本願における実施例に基づいて、当業者が創造的な労働をすることなく得られる全ての他の実施形態は、本願の保護範囲に属する。
【００５１】
本願の実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ ( ＧＳＭ )システム、Ｃｏｄｅ Ｄｉｖｉｓｉｏｎ Ｍｕｌｔｉｐｌｅ Ａｃｃｅｓｓ ( ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )システム、Ｇｅｎｅｒａｌ Ｐａｃｋｅｔ Ｒａｄｉｏ Ｓｅｒｖｉｃｅ ( ＧＰＲＳ )システム、Ｌｏｎｇ Ｔｅｒｍ Ｅｖｏｌｕｔｉｏｎ ( ＬＴＥ )システム、Ｆｒｅｑｕｅｎｃｙ Ｄｉｖｉｓｉｏｎ Ｄｕｐｌｅｘ ( ＦＤＤ )システム、Ｔｉｍｅ  Ｄｉｖｉｓｉｏｎ  Ｄｕｐｌｅｘ ( ＴＤＤ )システム、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )システム、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )システム、又は将来の５Ｇシステム(Ｎｅｗ Ｒａｄｉｏ、ＮＲ )システム等に応用されることができる。
【００５２】
なお、本明細書において、「システム」および「ネットワーク」という用語は、しばしば、本明細書において交換可能に使用される。ここで、「及び/又は」とは、単に関連のある対象を記述するための関連関係であり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが「または」の関係であることを一般的に示す。
【００５３】
図１は、本願の実施例が適用される無線通信システム１００を示す。 
なお、図１は、１つのネットワークデバイス及び２つの端末デバイスを例示的に示しているが、この無線通信システム１００は、複数のネットワークデバイスを含んでもよく、各ネットワークデバイスのカバレージ内に他の数の端末デバイスを含んでもよく、本願の実施例は、これに限定されない。
【００５４】
任意選択で、無線通信システム１００は、ネットワークコントローラ、モビリティ管理エンティティなどの他のネットワークエンティティをさらに含むことができ、本願の実施例はこれに限定されない。
【００５５】
図１に示すように、無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に位置するＵＥなどの端末デバイスと通信し得る。任意選択で、このネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５６】
この無線通信システム１００は、ネットワークデバイス１１０のカバレージ内に位置する少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５７】
任意選択で、端末デバイス１２０間の端末直接接続( Ｄｅｖｉｃｅ ｔｏ Ｄｅｖｉｃｅ、Ｄ２Ｄ )通信が行われてもよい。 
任意選択で、５Ｇシステム又はネットワークは、ＮＲ( Ｎｅｗ Ｒａｄｉｏ)システム又はネットワークと呼ばれることもある。 
高周波数帯域は、５Ｇ(ＮＲ)ネットワークを構成する重要な候補帯域である。周波数帯域が高いため、カバレッジ範囲は(低周波数ＬＴＥと比較して)制限される。下りリンク(Ｄｏｗｎｌｉｎｋ、ＤＬ)に関して、ネットワークデバイスの送信電力が大きいため、大規模マルチド出力マルチド入力( Ｍｕｌｔｉｐｌｅ Ｉｎｐｕｔ Ｍｕｌｔｉｐｌｅ Ｏｕｔｐｕｔ、ＭＩＭＯ ) ( ｈｙｂｒｉｄ Ｂｅａｍｆｏｒｍｉｎｇ )などによりＤＬが改善される。端末デバイスの送信電力が制限されるため、ＵＬカバレッジが制限される。
【００５８】
したがって、ＮＲ伝送のために、低周波数で１つの上りリンクキャリア( Ｕｐｌｉｎｋ、ＵＬ )が構成され得、このＵＬキャリアは、補足的上りリンク( Ｓｕｐｐｌｅｍｅｎｔａｒｙ Ｕｐｌｉｎｋ、ＳＵＬ )キャリアと呼ばれ得る。このようにＮＲは少なくとも２つのＵＬキャリアを有し、一方はＳＵＬキャリアであり、他方は高周波ＵＬキャリアである( ＮＲ専用のＵＬ(ｄｅｄｉｃａｔｅｄ ＵＬ)と呼ばれ得る)。 
例えば、図２及び図３に示すように、ＮＲシステムは、周波数帯ｆ０における高周波数のＵＬキャリアと、周波数帯ｆ１における低周波数のＵＬキャリアとを含んでもよい。
【００５９】
ここで、図２に示すように、周波数帯ｆ０における高周波ＵＬキャリアと周波数帯ｆ０における高周波ＤＬキャリアとは周波数分割多重( Ｆｒｅｑｕｅｎｃｙ Ｄｉｖｉｓｉｏｎ Ｄｕｐｌｅｘｉｎｇ、ＦＤＤ )され、或いは、図３に示すように、周波数帯ｆ０における高周波ＵＬキャリアと周波数帯ｆ１における高周波ＤＬキャリアとは時間分割多重( Ｔｉｍｅ Ｄｉｖｉｓｉｏｎ Ｄｕｐｌｅｘｉｎｇ、ＴＤＤ )される。
【００６０】
任意選択で、ＳＵＬキャリアはまた、ＬＴＥシステムとスペクトルリソースを共有することができ、すなわち、ｆ１において、一部のリソースのみがＮＲに使用され得、他のリソースはＬＴＥのために使用され得る。リソース共有は、周波数分割多重( Ｆｒｅｑｕｅｎｃｙ Ｄｉｖｉｓｉｏｎ Ｍｕｌｔｉｐｌｅｘｉｎｇ、ＦＤＭ )又は時分割多重( Ｔｉｍｅ Ｄｉｖｉｓｉｏｎ Ｍｕｌｔｉｐｌｅｘｉｎｇ、ＴＤＭ )方式(例えば、図４及び５に示されるＴＤＭの方式)であってよい。
【００６１】
なお、上記では、ＮＲシステムにおけるＵＬキャリアの数が２である場合を例に説明したが、本願の実施例はこれに限定されず、例えば、ＮＲシステムにおけるＵＬキャリアの数は３以上であってもよい。
【００６２】
なお、本願の実施例において、ＮＲシステムが含む複数のＵＬキャリアの各々が、端末デバイスによる上りリンク伝送のために使用され得るが、構成時に、端末デバイスがＵＬキャリアの一部のみを使用して上りリンク伝送を行うように構成され得る。 
任意選択で、ネットワークデバイスにより構成された端末デバイスが採用するＵＬキャリアの数、および特定のＵＬキャリアのうちのどれが動的に変化し得る。
【００６３】
任意選択で、端末デバイスがＰＲＡＣＨ ｐｒｅａｍｂｌｅを開始した後、ネットワークデバイスのランダムアクセス要求( Ｒａｎｄｏｍ Ａｃｃｅｓｓ Ｒｅｑｕｅｓｔ、ＲＡＲ )は、対応する位置で監視（ｍｏｎｉｔｏｒ）される。ネットワークデバイスは、ランダムアクセス無線ネットワーク一時識別子( Ｒａｎｄｏｍ Ａｃｃｅｓｓ Ｒａｄｉｏ Ｎｅｔｗｏｒｋ Ｔｅｍｐｏｒａｒｙ Ｉｄｅｎｔｉｔｙ、ＲＡ−ＲＮＴＩ )を用いてランダムアクセス応答を送信し、端末デバイスは、同じＴＡ−ＲＮＴＩを用いてランダムアクセス応答を受信する。
【００６４】
ＬＴＥシステムでは、ＲＡ−ＲＮＴＩの計算には、以下の３つの方法が採用され得る。 
１つの方式では、
ＲＡ‐ＲＮＴＩ＝ １ ＋ ｔ_ｉｄ ＋ １０＊ｆ_ｉｄ                  式１
ｔ_ｉｄは、ＰＲＡＣＨリソースの最初のサブフレームを指定するインデックスであり、ｆ_ｉｄは、このサブフレームによって指定されるＰＲＡＣＨの周波数領域で昇順にインデックスである。
【００６５】
他の方式では、
ＲＡ‐ＲＮＴＩ＝１＋ｔ_ｉｄ ＋ １０＊ｆ_ｉｄ ＋ ６０＊（ＳＦＮ_ｉｄ ｍｏｄ （Ｗｍａｘ/１０））                                              式２
ここで、ｔ_ｉｄは、ＰＲＡＣＨリソースの第１のサブフレームを指定するインデックスであり、ｆ_ｉｄは、そのサブフレームによって指定されるＰＲＡＣＨの周波数領域で昇順にされるインデックスであり、ＳＦＮ_ｉｄは、ＰＲＡＣＨリソースの１番目の無線フレームを指定するインデックスであり、Ｗｍａｘは４００である
他の方式では、
ＲＡ‐ＲＮＴＩ＝１＋ ｆｌｏｏｒ（ＳＦＮ_ｉｄ/４）              式３
ここで、ＳＦＮ_ｉｄは、ＰＲＡＣＨリソースの第１の無線フレームを指定するインデックスである。
【００６６】
なお、ＲＡ−ＲＮＴＩを取得する上記の方法は、いくつかの実装形態にすぎず、本願の実施例は、他の実装形態も存在し得る。
【００６７】
ＮＲシステムにおいてＲＡ−ＲＮＴＩを取得する方法は、ＬＴＥシステムにおけるＲＡ−ＲＮＴＩを取得する方法と同じであっても異なっていてもよい。
【００６８】
ＮＲ ｄｅｄｉｃａｔｅｄ ＵＬキャリアとＳＵＬキャリアからランダムアクセス要求(ランダムアクセスコード、すなわちランダムアクセスプリアンブルを含む)をそれぞれ送信する端末デバイスが２つあると、２つの端末デバイスが同じＲＡＲを受信してしまい、そのＲＡＲがどのＵＬキャリアで送信されたｐｒｅａｍｂｌｅに対応するかを区別できなくなる可能性がある。
【００６９】
したがって、複数の上りリンクキャリアが存在する上記シーンに関して、本願の実施例は、ランダムアクセスのための以下の技術案を提供する。
【００７０】
図６は、本発明の実施例における無線通信方法２００の概略的なフローチャートである。この方法２００は、任意選択で、図１に示されるシステムに適用され得るが、これに限定されない。方法２００は、以下の少なくとも一部を含む。
【００７１】
２１０において、端末デバイスが第１の上りリンクキャリアにおいてネットワークデバイスに第１のランダムアクセス要求を送信する。
【００７２】
２２０において、当該ネットワークデバイスが、当該端末デバイスが第１の上りリンクキャリアにおいて送信された第１のランダムアクセス要求を受信する。
【００７３】
２３０において、当該第１の上りリンクキャリアに基づいて、当該ネットワークデバイスが当該第１のランダムアクセス要求に対して第１のランダムアクセス応答を送信する。
【００７４】
２４０において、当該第１の上りリンクキャリアに基づいて、当該端末デバイスが、当該ネットワークデバイスが当該第１のランダムアクセス要求に対して送信した第１のランダムアクセス応答を受信する。
【００７５】
したがって、本発明の実施例では、ランダムアクセス要求を送信する上りリンクキャリアに基づいてランダムアクセス応答をフィードバックすることにより、複数の上りリンクキャリアが存在する場合でも、ランダムアクセス応答が対象とするランダムアクセス要求のソースをできるだけ区別することができる。
【００７６】
任意選択で、当該第１の上りリンクキャリアに基づいて、当該ネットワークデバイスが、当該第１のランダムアクセス応答の送信に要するリソース、当該第１のランダムアクセス応答の送信に要する第１のランダムアクセス無線ネットワーク一時識別子ＲＡ‐ＲＮＴＩ、及び当該第１のランダムアクセス応答においてランダムアクセス要求ソースに対する指示情報のうちの少なくとも１つを確定し、確定された当該少なくとも１つに基づいて、当該第１のランダムアクセス応答を送信する。これに対応し、当該第１の上りリンクキャリアに基づいて、当該端末デバイスが、当該第１のランダムアクセス応答が占用するリソース、当該第１のランダムアクセス応答の第１のランダムアクセス無線ネットワーク一時識別子ＲＡ‐ＲＮＴＩ、及び当該第１のランダムアクセス応答においてランダムアクセス要求ソースに対する指示情報のうちの少なくとも１つを確定し、確定された少なくとも１つに基づいて、当該第１のランダムアクセス応答を取得する。
【００７７】
任意選択で、当該ネットワークデバイスが当該端末デバイスに構成情報を送信し、当該構成情報が、当該第１のランダム応答メッセージの送信に要するリソース、当該第１のランダム応答メッセージの送信に要する第１のランダムアクセス無線ネットワーク一時識別子の決定方式又は一部のパラメータ、及び当該第１のランダムアクセス応答に含まれる情報（即ちランダムアクセス要求ソースに対する指示情報）のうちの少なくとも１つを含む。
【００７８】
なお、当該第１のランダム応答メッセージの送信に要するリソース、当該第１のランダム応答メッセージの送信に要する第１のランダムアクセス無線ネットワーク一時識別子の確定方式又は一部のパラメータ、及び当該第１のランダムアクセス応答に含まれる情報は、端末デバイスに予め設定されたものであっても良く、ネットワークデバイスにより構成される必要がない。
【００７９】
任意選択で、本願の実施例において、第１の上りリンクキャリアに基づいて決定された当該第１のランダム応答メッセージの送信に要するリソースは、当該第１のランダムアクセス応答が搬送される制御チャネルの所在の制御リソースセットＣＯＲＥＳＥＴ又はサーチスペースを含む。
【００８０】
任意選択で、当該第１のランダムアクセス応答が搬送される制御チャネルの所在の制御リソースセット（Ｃｏｎｔｒｏｌ Ｒｅｓｏｕｒｃｅ Ｓｅｔ、ＣＯＲＥＳＥＴ）又はサーチスペース（Ｓｅａｒｃｈ ｓｐａｃｅ）が、第２のランダムアクセス応答が搬送される制御チャネルの所在のＣＯＲＥＳＥＴ又はサーチスペースと異なり、ここで、当該第２のランダムアクセス応答が第２の上りリンクキャリアにおいて第２のランダムアクセス要求に対する応答である。
【００８１】
具体的には、ＵＥは、ＵＬキャリアが物理ランダムアクセスチャネル( Ｐｈｙｓｉｃａｌ Ｒａｎｄｏｍ Ａｃｃｅｓｓ Ｃｈａｎｎｅｌ、ＰＲＡＣＨ )プリアンブルを送信した後、ネットワークのランダムアクセス応答( Ｒａｎｄｏｍ Ａｃｃｅｓｓ Ｒｅｓｐｏｎｓｅ、ＲＡＲ )をモニタリング（ｍｏｎｉｔｏｒ）する必要がある。ＮＲでは、ランダムアクセス応答の受信は、制御チャネル( ＮＲ−ＰＤＣＣＨ )を先に検出する必要がある。ネットワークデバイスは、制御チャネルを異なる構成にすることで、異なるＵＬでｐｒｅａｍｂｌｅを送信した後に異なる制御チャネルを検出する。いくつかの具体的な構成は、以下の通りである。
【００８２】
１つの方式では、ＣＯＲＥＳＥＴ１又はＣＯＲＥＳＥＴ ｇｒｏｕｐ１ (すなわち、複数のＣＯＲＥＳＥＴを含む)は、ＮＲ ｄｅｄｉｃａｔｅｄ ＵＬに送信されるｐｒｅａｍｂｌｅに対応するＲＡＲ受信の制御チャネルリソースのために使用され、ＣＯＲＥＳＥＴ２やＣＯＲＥＳＥＴ ｇｒｏｕｐ２(すなわち、複数のＣＯＲＥＳＥＴを含む)は、ＮＲ ＳＵＬに送信されたｐｒｅａｍｂｌｅに対応するＲＡＲ受信する制御チャネルリソースのために用いられる
別の方式では、Ｓｅａｒｃｈ ｓｐａｃｅ１はＮＲ ｄｅｄｉｃａｔｅｄ ＵＬ上で送信されるｐｒｅａｍｂｌｅに対応するＲＡＲ受信する制御チャネルリソースに使用され、Ｓｅａｒｃｈ ｓｐａｃｅ２はＮＲ ＳＵＬ上で送信されるｐｒｅａｍｂｌｅに対応するＲＡＲ受信する制御チャネルリソースに使用される。
【００８３】
任意選択で、当該第１のランダムアクセス応答のランダムアクセス要求ソースフィールドに含まれる情報が、第２のランダムアクセス応答のランダムアクセス要求ソースフィールドに含まれると異なり、ここで、当該第２のランダムアクセス応答が第２の上りリンクキャリアにおいて第２のランダムアクセス要求に対する応答であり、当該ランダムアクセス要求ソースフィールドが、ランダムアクセス要求の所在の上りリンクキャリアを示す。
【００８４】
具体的には、ネットワークデバイスは、ランダムアクセス要求がどのＵＬリンクに属するかを示す情報をランダムアクセス応答に搬送する。例えば、ＲＡＲは、ランダムアクセス要求がＮＲ ｄｅｄｉｃａｔｅｄ ＵＬリンク又はＳＵＬリンクに属することを示す。
【００８５】
任意選択で、当該第１のランダムアクセス応答にランダムアクセス要求ソースフィールドが含まれ、第２のランダムアクセス応答にランダムアクセス要求ソースフィールドが含まれなく、ここで、当該第２のランダムアクセス応答が第２の上りリンクキャリアにおいて第２のランダムアクセス要求に対する応答であり、当該ランダムアクセス要求ソースフィールドが、ランダムアクセス要求の所在の上りリンクキャリアが当該第１の上りリンクキャリアであることを示す。
【００８６】
具体的には、ネットワークデバイスは、ランダムアクセス要求がどのＵＬリンクに属するかを示す情報をランダムアクセス応答に搬送する。例えば、ＲＡＲは、ランダムアクセス要求がどのＵＬリンクに属するかを示さない場合、デフォルトのＵＬリンク(例えば、ＮＲ ｄｅｄｉｃａｔｅｄ ＵＬリンク)に対応し、示される場合、示されるＵＬリンク(例えば、ＳＵＬリンク)である。
【００８７】
任意選択で、本願の実施例において、上述の第１の上りリンクキャリアは、この第２の上りリンクキャリアが位置する周波数帯域とは異なる。たとえば、第１の上りリンクキャリアは、図２〜図５に記載されたＳＵＬキャリアであり、第２の上りリンクキャリアは、図２〜図５に記載されたｄｅｄｉｃａｔｅｄ ＵＬキャリアである。
【００８８】
任意選択で、前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、ここで、前記第２のＲＡ‐ＲＮＴＩが第２の上りリンクキャリアにおいて第２のランダムアクセス要求に対する第２のランダムアクセス応答に要するＲＡ‐ＲＮＴＩである。
【００８９】
具体的には、ＵＥは、ＵＬキャリアがＰＲＡＣＨ ｐｒｅａｍｂｌｅを送信した後に、ネットワークのランダムアクセス応答ＲＡＲをモニタリング（ｍｏｎｉｔｏｒ）する必要がある。ＮＲでは、ランダムアクセス応答の受信は、制御チャネル( ＮＲ−ＰＤＣＣＨ )を先に検出する必要がある。制御チャネルの伝送にはＲＡ−ＲＮＴＩによりスクランブルされる。異なるｐｒｅａｍｂｌｅに対応するＲＡＲは、異なるＲＡ−ＲＮＴＩによって区別することができる。ＳＵＬをサポートするランダムアクセスの場合、ｄｅｄｉｃａｔｅｄ ＵＬキャリアと比較して、ＳＵＬに関連付けられる項がＲＡ−ＲＮＴＩの式に追加に導入することができ、これにより、２つのＵＬ上のｐｒｅａｍｂｌｅに対応するＲＡ−ＲＮＴＩが同じになることを回避することができる。例えばＳＵＬがない場合、ＲＡ−ＲＮＴＩの値の範囲は[ ｘ ｙ ] ( ｙ ＞ ｘ ＞ ＝ ０ )である。ＳＵＬ上で伝送されたｐｒｅａｍｂｌｅに対してＲＡ−ＲＮＴＩの計算は、上記の技術においてＺ （ Ｚ＞ｙ ）の項を追加することができ、２つのＵＬに対応するＲＡ−ＲＮＴＩが同じになることを回避することができる。
【００９０】
例えば、ｄｅｄｉｃａｔｅｄ ＵＬキャリアに対して、ＲＡ−ＲＮＴＩを計算する式が、上述した式１、または式３である場合、ＳＵＬキャリアを計算する式として、式１、式２、および式３にそれぞれＺを加えることができる。
【００９１】
もちろん、Ｚはｙよりも大きくなくてもよく、これによってＲＡ−ＲＮＴＩが一様になることを完全に回避することはできないが、一様になる確率を低減することができる。
【００９２】
図７は、本発明の実施例における無線通信方法３００の概略的なフローチャートである。方法３００は、以下の少なくとも一部を含む。
【００９３】
３１０において、ネットワークデバイスが複数の上りリンクキャリアの各上りリンクキャリアに対して、ランダムアクセスする時の構成情報をそれぞれ決定する。
【００９４】
任意選択で、当該複数の上りリンクキャリアの所在の周波数帯域がそれぞれ異なる。
【００９５】
３２０において、当該ネットワークデバイスが当該各上りリンクキャリアに対する当該構成情報を端末デバイスに送信する。
【００９６】
３３０において、端末デバイスが、ネットワークデバイスが複数の上りリンクキャリアの各上りリンクキャリアに対してランダムアクセスする時の構成情報を受信する。
【００９７】
３４０において、当該構成情報に基づいて、当該複数の上りリンクキャリアの少なくとも一部の上りリンクキャリアにおいてランダムアクセスする。
【００９８】
したがって、ネットワークデバイスは、複数の上りリンクキャリアのそれぞれに対してランダムアクセスを行う際の構成情報を端末デバイスに対して個別に設定することにより、端末デバイスは、ランダムアクセス時に、それぞれの上りリンクキャリアに対応する構成情報を用いてランダムアクセスを行うことができる。
【００９９】
任意選択で、当該構成情報が、当該各上りリンクキャリアにおいてランダムアクセス要求の送信に使用される時間領域リソース及び／又は周波数領域リソースを含み、ここで、異なる上りリンクキャリアにおいてランダムアクセスの送信に使用される時間領域リソース及び／又は周波数領域リソースに対応するＲＡ‐ＲＮＴＩは、少なくも一部が異なる。
【０１００】
具体的には、ネットワークデバイスは、異なるＵＬリンクに対応するランダムアクセスチャネル( Ｒａｎｄｏｍ Ａｃｃｅｓｓ Ｃｈａｎｎｅｌ、ＲＡＣＨ )リソースを構成する際に、ＲＡＣＨの時間周波数および/または周波数領域リソースを調整し、２つのＵＬキャリア上でｐｒｅａｍｂｌｅに対応するＲＡ−ＲＮＴＩが衝突することを回避するか、または衝突確率を低減する。
【０１０１】
任意選択で、異なる上りリンクキャリアに対してそれぞれ確定されたランダムアクセス時の構成情報は、
ランダムアクセス要求が占用する時間周波数リソース及び／又はランダムアクセス要求に含まれるシーケンス、
ランダム応答メッセージを送信するリソース、
ランダム応答メッセージを送信するランダムアクセス無線ネットワーク一時識別子の決定方式又は一部のパラメータのうちの少なくとも１つが異なる。 
任意選択で、当該ランダム応答メッセージの送信に要するリソースは、当該ランダムアクセス応答が搬送される制御チャネルの所在の制御リソースセットＣＯＲＥＳＥＴ又はサーチスペースを含む。
【０１０２】
任意選択で、異なる上りリンクキャリアにおいてランダムアクセス要求に対応するランダムアクセス応答の制御チャネルの所在のＣＯＲＥＳＥＴ又はサーチスペースが、異なる。
【０１０３】
任意選択で、異なる上りリンクキャリアにおいてランダムアクセス要求に対応するランダムアクセス応答のＲＡ‐ＲＮＴＩの計算式が異なり、又は、計算式の一部のパラメータが異なる。
【０１０４】
任意選択で、当該構成情報は、当該各上りリンクキャリアに伝送されるランダムアクセス要求に対応するランダムアクセス応答におけるランダムアクセス要求ソースの指示を含む。
【０１０５】
任意選択で、異なる上りリンクキャリアにおいてランダムアクセス要求に対応するランダムアクセス応答のランダムアクセス要求ソースフィールドに含まれる情報が異なり、ここで、当該ランダムアクセス要求ソースフィールドが、ランダムアクセス要求の所在の上りリンクキャリアを示す。
【０１０６】
任意選択で、当該複数の上りリンクキャリアが第１の上りリンクキャリアと第２の上りリンクキャリアを含み、第１のランダムアクセス応答にランダムアクセス要求ソースフィールドが含まれ、第２のランダムアクセス応答にランダムアクセス要求ソースフィールドが含まれなく、ここで、当該第１のランダムアクセス応答が、第１の上りリンクキャリアにおいて第１のランダムアクセス要求に対する応答であり、当該第２のランダムアクセス応答が第２の上りリンクキャリアにおいて第２のランダムアクセス要求に対する応答であり、当該ランダムアクセス要求ソースフィールドが、ランダムアクセス要求の所在の上りリンクキャリアが当該第１の上りリンクキャリアであることを示す。
【０１０７】
方法２００及び方法３００の説明は、互いに参照されてもよく、方法２００及び方法３００は関連して使用されてもよく、簡潔のために、本明細書では説明を省略する。
【０１０８】
図８は本願の実施例におけるネットワークデバイス４００のブロック図である。図８に示すように、当該ネットワークデバイス４００が受信ユニットと送信ユニットを含む。
【０１０９】
ここで、前記受信ユニット４１０は、端末デバイスが第１の上りリンクキャリアにおいて送信した第１のランダムアクセス要求を受信するように構成され、前記送信ユニット４２０は、前記第１の上りリンクキャリアに基づいて、前記第１のランダムアクセス要求に対して第１のランダムアクセス応答を送信するように構成される。
【０１１０】
ネットワークデバイス４００は、上記の方法２００においてネットワークデバイスにより実行される対応する動作を実行してもよく、簡潔にするために、ここでは説明を省略する。
【０１１１】
図９は本願の実施例におけるネットワークデバイス５００のブロック図である。図９に示すように、当該ネットワークデバイス５００が処理ユニット５１０と通信ユニット５２０を含み、ここで、
前記処理ユニット５１０は、複数の上りリンクキャリアの各上りリンクキャリアに対してランダムアクセスする時の構成情報をそれぞれ決定するように構成され、
前記通信ユニット５２０は、前記各上りリンクキャリアに対する前記構成情報を端末デバイスに送信するように構成される。
【０１１２】
ネットワークデバイス５００は、上記の方法３００においてネットワークデバイスによって実行される対応する動作を実行してもよく、簡潔のためにここでは説明を省略する。
【０１１３】
図１０は本願の実施例における端末デバイス６００のブロック図である。図１０に示すように、当該端末デバイス６００は、送信ユニット６１０と受信ユニット６２０とを含み、ここで、
前記送信ユニット６１０は、第１の上りリンクキャリアにおいてネットワークデバイスに第１のランダムアクセス要求を送信するように構成され、前記受信ユニット６２０は、前記第１の上りリンクキャリアに基づいて、前記ネットワークデバイスが前記第１のランダムアクセス要求に対して送信した第１のランダムアクセス応答を取得するように構成される。
【０１１４】
端末デバイス６００は、上述した方法２００の端末デバイスによって実行される対応する動作を実行することができることが理解され、ここでは簡潔のため、その説明を省略する。
【０１１５】
図１１は本願の実施例における端末デバイス７００のブロック図である。図１１に示すように、当該端末デバイス７００が受信ユニット７１０とアクセスユニット７２０を含む。 
前記受信ユニット７１０は、ネットワークデバイスが複数の上りリンクキャリアの各上りリンクキャリアに対してランダムアクセスする時の構成情報を受信するように構成され、前記アクセスユニット７２０は、前記構成情報に基づいて、前記複数の上りリンクキャリアの少なくとも一部の上りリンクキャリアにおいてランダムアクセスするように構成される。
【０１１６】
端末デバイス７００は、上述した方法３００の端末デバイスによって実行される対応する動作を実行することができることが理解され、簡潔のために、ここでは説明を省略する。
【０１１７】
図１２は、本願の実施例におけるシステムチップ８００の概略構成図である。図１２のシステムチップ８００は、入力インターフェース８０１、出力インターフェース８０２、メモリ８０４内のコードを実行するためのプロセッサ８０３、及びメモリ８０４を含み、これらの間は、内部通信接続線を介して接続され得る。
【０１１８】
任意選択で、コードが実行されると、プロセッサ８０３は、方法の実施形態においてネットワークデバイスによって実行される方法を実施する。簡潔にするために、ここでは説明を省略する。 
任意選択で、コードが実行されると、プロセッサ８０３は、方法の実施形態において端末デバイスによって実行される方法を実施する。簡潔にするために、ここでは説明を省略する。 
図１３は、本願の実施例による通信デバイス９００の概略的なブロック図である。図１３に示すように、通信デバイス９００は、プロセッサ９１０と、メモリ９２０とを有する。そのうち、該メモリ９２０はプログラムコードを記憶してもよく、該プロセッサ９１０は該メモリ９２０に記憶されたプログラムコードを実行してもよい。
【０１１９】
任意選択で、図１３に示すように、通信装置９００は、プロセッサ９１０が外部と通信するように制御することができる送受信機９３０を含んでもよい。 
任意選択で、プロセッサ９１０は、メモリ９２０に記憶されたプログラムコードを呼び出して、方法の実施形態におけるネットワークデバイスの対応する動作を実行してもよく、簡潔のためにここでは説明を省略する。 
任意選択で、プロセッサ９１０は、メモリ９２０に記憶されたプログラムコードを呼び出して、方法の実施形態における端末デバイスの対応する動作を実行してもよく、簡潔のためにここでは説明を省略する。
【０１２０】
本願の実施例のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１２１】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１２２】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１２３】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。 
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１２５】
また、本発明の各実施例における各機能部は、１つの処理部に集積されてもよいし、各部は、物理的に別個に存在してもよいし、２つ以上の部が１つの部に集積されてもよい。 
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２６】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020537369.tif 000003
【図２】
2020537369.tif 000004
【図３】
2020537369.tif 000005
【図４】
2020537369.tif 000006
【図５】
2020537369.tif 000007
【図６】
2020537369.tif 000008
【図７】
2020537369.tif 000009
【図８】
2020537369.tif 000010
【図９】
2020537369.tif 000011
【図１０】
2020537369.tif 000012
【図１１】
2020537369.tif 000013
【図１２】
2020537369.tif 000014
【図１３】
2020537369.tif 000015
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
端末デバイスが第１の上りリンクキャリアにおいてネットワークデバイスに第１のランダムアクセス要求を送信することと、
前記端末デバイスが、前記ネットワークデバイスが前記第１のランダムアクセス要求に対して送信した第１のランダムアクセス応答を取得することとを含む
ことを特徴とする無線通信方法。
【請求項２】
前記端末デバイスが、前記ネットワークデバイスが前記第１のランダムアクセス要求に対して送信した第１のランダムアクセス応答を取得することは、
前記端末デバイスが
前記第１のランダムアクセス応答が占用するリソース、前記第１のランダムアクセス応答の第１のランダムアクセス無線ネットワーク一時識別子ＲＡ‐ＲＮＴＩ、及び前記第１のランダムアクセス応答においてランダムアクセス要求ソースを示す情報のうちの少なくとも１つに基づいて、前記第１のランダムアクセス応答を取得すること、
を含む
ことを特徴とする請求項１に記載の無線通信方法。
【請求項３】
前記第１の上りリンクキャリアが補足的上りリンクキャリアである
ことを特徴とする請求項１又は２に記載の無線通信方法。
【請求項４】
前記第１のランダム応答メッセージが占用するリソースは、前記第１のランダムアクセス応答が搬送される制御チャネルの所在のＣＯＲＥＳＥＴ又はサーチスペースを含む
ことを特徴とする請求項２に記載の無線通信方法。
【請求項５】
前記第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、前記第２のランダムアクセス応答が第２の上りリンクキャリアにおいて第２のランダムアクセス要求に対する応答である
ことを特徴とする請求項４に記載の無線通信方法。
【請求項６】
前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、前記第２のＲＡ‐ＲＮＴＩが第２の上りリンクキャリアにおいて第２のランダムアクセス要求に対する第２のランダムアクセス応答に要するＲＡ‐ＲＮＴＩである
ことを特徴とする請求項２〜５のいずれか１項に記載の無線通信方法。
【請求項７】
前記第１の上りリンクキャリアが前記第２の上りリンクキャリアの所在の周波数帯域と異なる
ことを特徴とする請求項２〜６のいずれか１項に記載の無線通信方法。
【請求項８】
送信ユニットと、受信ユニットと、を備える端末デバイスであって、
前記送信ユニットは、第１の上りリンクキャリアにおいてネットワークデバイスに第１のランダムアクセス要求を送信するように構成され、
前記受信ユニットは、前記ネットワークデバイスが前記第１のランダムアクセス要求に対して送信した第１のランダムアクセス応答を取得するように構成される
ことを特徴とする端末デバイス。
【請求項９】
前記受信ユニットは、さらに、
前記第１のランダムアクセス応答が占用するリソース、前記第１のランダムアクセス応答の第１のランダムアクセス無線ネットワーク一時識別子ＲＡ‐ＲＮＴＩ、及び前記第１のランダムアクセス応答においてランダムアクセス要求ソースを示す情報のうちの少なくとも１つに基づいて、前記第１のランダムアクセス応答を取得するように構成される、
ことを特徴とする請求項８に記載の端末デバイス。
【請求項１０】
前記第１の上りリンクキャリアが補足的上りリンクキャリアである
ことを特徴とする請求項８又は９に記載の端末デバイス。
【請求項１１】
前記第１のランダム応答メッセージが占用するリソースは、前記第１のランダムアクセス応答が搬送される制御チャネルの所在のＣＯＲＥＳＥＴ又はサーチスペースを含む
ことを特徴とする請求項９に記載の端末デバイス。
【請求項１２】
前記第１のランダムアクセス応答が搬送される制御チャネルの所在の制御リソースセットＣＯＲＥＳＥＴ又はサーチスペースが、第２のランダムアクセス応答が搬送される制御チャネルの所在のＣＯＲＥＳＥＴ又はサーチスペースと異なり、前記第２のランダムアクセス応答が第２の上りリンクキャリアにおいて第２のランダムアクセス要求に対する応答である
ことを特徴とする請求項１１に記載の端末デバイス。
【請求項１３】
前記第１のＲＡ−ＲＡＴＩの計算式が第２のＲＡ‐ＲＮＴＩの計算式と異なり、又は、第１のＲＡ−ＲＡＴＩの計算式の一部のパラメータが第２のＲＡ‐ＲＮＴＩの計算式の一部のパラメータと異なり、前記第２のＲＡ‐ＲＮＴＩが第２の上りリンクキャリアにおいて第２のランダムアクセス要求に対する第２のランダムアクセス応答に要するＲＡ‐ＲＮＴＩである
ことを特徴とする請求項９〜１２のいずれか１項に記載の端末デバイス。
【請求項１４】
前記第１のランダムアクセス応答のランダムアクセス要求ソースフィールドに含まれる情報が、第２のランダムアクセス応答のランダムアクセス要求ソースフィールドに含まれる情報と異なり、前記第２のランダムアクセス応答が第２の上りリンクキャリアにおいて第２のランダムアクセス要求に対する応答であり、前記ランダムアクセス要求ソースフィールドがランダムアクセス要求の所在の上りリンクキャリアを示し、
又は、
前記第１のランダムアクセス応答にランダムアクセス要求ソースフィールドが含まれ、第２のランダムアクセス応答にランダムアクセス要求ソースフィールドが含まれなく、前記第２のランダムアクセス応答が第２の上りリンクキャリアにおいて第２のランダムアクセス要求に対する応答であり、前記ランダムアクセス要求ソースフィールドが、ランダムアクセス要求の所在の上りリンクキャリアが前記第１の上りリンクキャリアであることを示す
ことを特徴とする請求項９〜１３のいずれか１項に記載の端末デバイス。
【請求項１５】
前記第１の上りリンクキャリアが前記第２の上りリンクキャリアの所在の周波数帯域と異なる
ことを特徴とする請求項９〜１４のいずれか１項に記載の端末デバイス。
【国際調査報告】
2020537369.tif 000016
2020537369.tif 000017
2020537369.tif 000018
2020537369.tif 000019
2020537369.tif 000020